(57)【要約】　　　（修正有）【課題】アクセス利用者の電子メールアドレスを含む個人情報を、より確実に受け付けること。【解決手段】情報端末１に個人情報入力ページと該入力ページの配信に固有に付与された受付識別符号を内在する送信先メールアドレスとを配信する入力ページ配信ステップと、メールボックス生成ステップと、入力された個人情報を、前記受付識別符号に対応付けて登録する個人情報登録ステップと、電子メールを、前記メールボックスにて受信する受信ステップと、該受信した電子メールからアクセス利用者の情報端末１のメールアドレスを抽出するメールアドレス抽出ステップと、該抽出したメールアドレスを、そのメールボックスの電子メールアドレスに対応する前記受付識別符号の個人情報に含まれるメールアドレスに登録するメールアドレス登録ステップと、を含む。【選択図】　図４
2004078270.tif 000002
【特許請求の範囲】
【請求項１】
インターネット網にデータ通信可能に接続されたアクセス利用者の情報端末から、該アクセス利用者の電子メールアドレスを含む個人情報を受付けるための個人情報受付け方法であって、
前記アクセス利用者の情報端末に個人情報を入力するための入力ページと該入力ページの配信に固有に付与された受付識別符号を内在する送信先メールアドレスとを配信する入力ページ配信ステップと、
前記受付識別符号を内在する送信先メールアドレスを受信するためのメールボックスを生成するメールボックス生成ステップと、
アクセス利用者の情報端末からの前記入力ページ返信に基づき、該入力ページにて入力された個人情報を、前記受付識別符号に対応付けて登録する個人情報登録ステップと、
前記アクセス利用者の情報端末に搭載されているブラウザソフトの自動メール機能により、前記入力ページ配信ステップにて配信された送信先メールアドレスに送信された電子メールを、前記メールボックスにて受信する受信ステップと、
該メールボックスに受信した電子メールから、該電子メールの送信元である前記アクセス利用者の情報端末のメールアドレスを抽出するメールアドレス抽出ステップと、
該抽出したメールアドレスを、そのメールボックスの電子メールアドレスに対応する前記受付識別符号の個人情報に含まれるメールアドレスに登録するメールアドレス登録ステップと、
を含むことを特徴とする個人情報受付け方法。
【請求項２】
前記アクセス利用者の情報端末が、携帯電話である請求項１に記載の個人情報受付け方法。
【請求項３】
前記メールアドレス登録ステップにおいて、既に受付識別符号の個人情報にメールアドレスの登録がある場合には、前記メールアドレス抽出ステップにて抽出したメールアドレスとの照合を実施し、該照合において不一致である場合には、該不一致の履歴を確認可能に登録する請求項１または２に記載の個人情報受付け方法。
【発明の詳細な説明】
【０００１】
【発明の属する技術の分野】
本発明は、インターネット網上の各種サイトにおいて、アクセス利用者から電子メールアドレスを含む個人情報の受付けを行うための個人情報受付け方法に関する。
【０００２】
【従来の技術】
近年、インターネットの急速な普及に伴い、該インターネット網上に各種サイトにおいて、会員登録や利用登録、並びに各種サービスの申し込み等に際して、アクセス利用者の電子メールアドレスを含む個人情報を受付けることが多数実施されている。
【０００３】
これら個人情報を受付けに際しては、登録や申し込みの確認を行うために、電子メールを送信する必要が生じることから、登録者や申し込み者であるアクセス利用者の電子メールアドレスを受付けることが通常であるが、これら電子メールアドレスの受付けにおいて、該電子メールアドレスの誤入力が非常に多く、登録や申し込みの確認を行うために、電子メールを送信できないという問題があった。
【０００４】
このため、現在においては、電子メールの誤入力等を回避するために、アクセス利用者の情報端末に搭載されているブラウザソフトが自動メール機能に対応している場合には、該自動メール機能により、アクセス利用者の個人情報とともに該アクセス利用者の電子メールアドレスを送信元の電子メールアドレスとして入手する方法が利用されてきている。
【０００５】
【発明が解決しようとする課題】
しかしながら、これら自動メール機能を用いる場合には、特に携帯電話等において、アクセス利用者の個人情報を自動メール機能によるメールの内容として送信しようとしても、これらメールの内容を送信メールに全く内在できなかったり、或いは文字制限で一部しか内在できない場合とともに、自動メール機能の設定によっては、送信メールに内在されている文字が、文字化けしてしまう場合があるという問題があり、アクセス利用者の電子メールアドレスを含む個人情報を確実に受付けることができない場合があるという問題があった。
【０００６】
よって、本発明は上記した問題点に着目してなされたもので、アクセス利用者の電子メールアドレスを含む個人情報を、より確実に受付けることのできる個人情報受付け方法を提供することを目的としている。
【０００７】
【課題を解決するための手段】
前記した問題を解決するために、本発明の個人情報受付け方法は、インターネット網にデータ通信可能に接続されたアクセス利用者の情報端末から、該アクセス利用者の電子メールアドレスを含む個人情報を受付けるための個人情報受付け方法であって、
前記アクセス利用者の情報端末に個人情報を入力するための入力ページと該入力ページの配信に固有に付与された受付識別符号を内在する送信先メールアドレスとを配信する入力ページ配信ステップと、
前記受付識別符号を内在する送信先メールアドレスを受信するためのメールボックスを生成するメールボックス生成ステップと、
アクセス利用者の情報端末からの前記入力ページ返信に基づき、該入力ページにて入力された個人情報を、前記受付識別符号に対応付けて登録する個人情報登録ステップと、
前記アクセス利用者の情報端末に搭載されているブラウザソフトの自動メール機能により、前記入力ページ配信ステップにて配信された送信先メールアドレスに送信された電子メールを、前記メールボックスにて受信する受信ステップと、
該メールボックスに受信した電子メールから、該電子メールの送信元である前記アクセス利用者の情報端末のメールアドレスを抽出するメールアドレス抽出ステップと、
該抽出したメールアドレスを、そのメールボックスの電子メールアドレスに対応する前記受付識別符号の個人情報に含まれるメールアドレスに登録するメールアドレス登録ステップと、
を含むことを特徴としている。
この特徴によれば、アクセス利用者の個人情報は前記入力ページ返信に基づいて受付ける一方、アクセス利用者の電子メールアドレスは、アクセス利用者の情報端末に搭載されているブラウザソフトの自動メール機能にて送信された電子メールの送信元データから抽出されて登録されるようになるため、これら電子メールアドレスの誤入力を著しく少なくできるばかりか、個人情報の送信には自動メール機能による送信メールを使用しないことで、これら個人情報もより確実に受付けることができ、よってアクセス利用者の電子メールアドレスを含む個人情報を、より確実に受付けることができる。
【０００８】
本発明の個人情報受付け方法は、前記アクセス利用者の情報端末が、携帯電話であることが好ましい。
このようにすれば、携帯電話においては、自動メール機能により送信される電子メールに、多くの内容を内在できない機種が多く、これら機種による電子メールアドレスを含む個人情報の受付けエラーを、大幅に低減できる。
【０００９】
本発明の個人情報受付け方法は、前記メールアドレス登録ステップにおいて、既に受付識別符号の個人情報にメールアドレスの登録がある場合には、前記メールアドレス抽出ステップにて抽出したメールアドレスとの照合を実施し、該照合において不一致である場合には、該不一致の履歴を確認可能に登録することが好ましい。
このようにすれば、情報端末に登録された電子メールアドレスとページ入力された電子メールアドレスとが異なっているアクセス利用者を、簡便に把握することができる。
【００１０】
【発明の実施の形態】
以下、図面に基づいて本発明の実施形態を説明する。
（実施例）
図１は、本発明が適用された個人情報受付け方法におけるシステム構成を示す図であり、インターネット網５に通信装置８を介して接続されたメールサーバ６とＷＥＢサーバ７とから成るＷＥＢサイトと、前記インターネット網５に携帯電話サービス会社２やインターネット接続サービス会社（ＩＳＰ）４を介して接続可能なアクセス利用者の情報端末である携帯電話１やパソコン３等から構成されている。尚、前記メールサーバ６とＷＥＢサーバ７は、前記通信装置８を介して互いにデータ通信可能とされている。
【００１１】
この本実施例に用いたＷＥＢサーバ７の構成を図２に基づき説明すると、該ＷＥＢサーバ７は、内部にてデ−タの送受を行うデ−タバス７７に、受付け識別符号の生成や、メールボックスの生成指示、並びに受付けページの配信、受信メールからの送信元メールアドレスの抽出等の個人情報の受付け処理や、登録されているコンテンツデータの配信処理並びに各動作制御を所定の処理プログラムに基づき実施する中央演算処理装置（ＣＰＵ）７１や、ＲＡＭ７４や、現在の時刻情報や任意の年月日の曜日等のカレンダ−情報を出力可能なリアルタイムクロック（ＲＴＣ）７６や、前記通信装置８とのデータ送受を行う通信インターフェイス７３や、磁気ディスクや光磁気ディスクから成り、該ＷＥＢサーバ７が実施する前記個人情報の受付け処理を行うための個人情報受付プログラムや、図５（ｃ）に示すように、電子メールアドレスを含む個人情報が登録される個人情報データベース（ＤＢ）が記憶された記憶装置７５が接続された通常のコンピュ−タである。
【００１２】
また、前記メールサーバ６も、前記ＷＥＢサーバ７とほぼ同様の構成とされているが、メールの送受信処理を専門に実施するようになっている。
【００１３】
以下、本実施例のＷＥＢサイトにおいて実施される個人情報の受付け処理の流れについて、図４に基づき説明すると、まず、ＷＥＢサーバ７は、アクセス利用者からのアクセスがあった場合に、アクセスに対応するコンテンツページをアクセス利用者の情報端末（ここでは、便宜的に携帯電話１を例に説明を進めるものとする）である携帯電話１に配信していく。
【００１４】
これら配信において、会員登録や利用申し込みの場合には、前記記憶装置７５に記憶されている個人情報受付けページを読み出すとともに、該個人情報受付けページの配信に際して、該配信に固有の受付け識別符号を生成し、該生成した受付け識別符号を図５（ａ）に示すように、個人情報データベース（ＤＢ）に登録する。
【００１５】
次いで、該生成した受付け識別符号をメールアドレス（ＸＸＸＸ＠ａｂｃ．ｃｏｍのＸＸＸＸを受付け識別符号としたもの）とした電子メールを受信するためのメールボックスの生成指示を前記メールサーバ６に出力して、メールサーバ６に識別符号をメールアドレスとした電子メールを受信するためのメールボックスを生成させる。
【００１６】
その後、これら受付け識別符号を内在するメールアドレスと、前記読み出した個人情報受付けページを携帯電話１に配信することで、携帯電話１の表示部１’には、図３に示すように、個人情報の受付けページが表示される。
【００１７】
該個人情報受付けページの表示に基づき、アクセス利用者は、該個人情報受付けページにある各項目を入力した後、「送信」の項目を選択入力する。
【００１８】
該「送信」の選択入力に基づき、個人情報受付けページの入力内容がＷＥＢサーバ７に送信されるとともに、個人情報受付けページとともに前記にて配信された受付け識別符号を内在するメールアドレスに対して、携帯電話１に搭載されているブラウザソフトの自動メール機能（ｍａｉｌｔｏ機能）により、自動的に予め携帯電話に登録されているメールアドレスが付与された空メールが送信され、該ＷＥＢサーバ７において受信した個人情報受付けページの各項目の内容を、図５（ｂ）に示すように、前記個人情報データベース（ＤＢ）に登録されている受付け識別符号に対応付けて登録していく。尚、図５（ｂ）においては、個人情報受付けページのメールアドレス入力において誤記されたメールアドレスが登録された状況を示している。
【００１９】
次いで、前記メールサーバ６のメールアドレスに送信されてきた空メールをメールサーバ６から入手して、該空メールの送信元のメールアドレスを抽出し、該抽出したメールアドレスを、そのメールボックスに付与されている受付け識別符号に対応して、前記個人情報データベース（ＤＢ）に登録されているメールアドレスとが一致するかを判定し、一致しない場合には、該登録内容を図６に示すように、照合不一致メールアドレスに登録するとともに、前記抽出したメールアドレスを優先して登録することで、前記個人情報受付けページにて受付けた誤記されたメールアドレスが修正されるようになっている。
【００２０】
以上、本実施例の個人情報受付け方法にて個人情報を受付けることで、アクセス利用者の電子メールアドレスは、アクセス利用者の情報端末に搭載されているブラウザソフトの自動メール機能（ｍａｉｌｔｏ機能）にて送信された電子メールの送信元データから抽出されて登録されるようになるため、これら電子メールアドレスの誤入力を著しく少なくできるばかりか、個人情報の送信には自動メール機能による送信メールを使用せずに、個人情報受付けページによって受付けることで、自動メール機能（ｍａｉｌｔｏ機能）にてこれら個人情報を送信する場合に比較して、これら個人情報が送信されなかったり、文字化けしてしまうことがなく、これら個人情報もより確実に受付けることができ、よってアクセス利用者の電子メールアドレスを含む個人情報を、より確実に受付けることができるようになる。
【００２１】
以上、本発明を図面により説明してきたが、本発明はこれら実施例に限られるものではなく、本発明の要旨を逸脱しない範囲における変更や追加があっても本発明に含まれることは言うまでもない。
【００２２】
例えば、前記実施例の個人情報受付けページには、電子メールの入力項目が設けられているが、本発明はこれに限定されるものではなく、これら電子メールの入力項目を設けない構成としても良い。
【００２３】
【発明の効果】
本発明は次の効果を奏する。
（ａ）請求項１の発明によれば、アクセス利用者の個人情報は前記入力ページ返信に基づいて受付ける一方、アクセス利用者の電子メールアドレスは、アクセス利用者の情報端末に搭載されているブラウザソフトの自動メール機能にて送信された電子メールの送信元データから抽出されて登録されるようになるため、これら電子メールアドレスの誤入力を著しく少なくできるばかりか、個人情報の送信には自動メール機能による送信メールを使用しないことで、これら個人情報もより確実に受付けることができ、よってアクセス利用者の電子メールアドレスを含む個人情報を、より確実に受付けることができる。
【００２４】
（ｂ）請求項２の発明によれば、携帯電話においては、自動メール機能により送信される電子メールに、多くの内容を内在できない機種が多く、これら機種による電子メールアドレスを含む個人情報の受付けエラーを、大幅に低減できる。
【００２５】
（ｃ）請求項３の発明によれば、情報端末に登録された電子メールアドレスとページ入力された電子メールアドレスとが異なっているアクセス利用者を、簡便に把握することができる。
【図面の簡単な説明】
【図１】本発明の実施例における個人情報受付け方法におけるシステム構成を示す図である。
【図２】本発明の実施例におけるＷＥＢサーバの構成を示すブロック図である。
【図３】本発明の実施例における携帯電話の表示部に表示された個人情報受付けページを示す図である。
【図４】本発明の実施例における個人情報受付け方法における個人情報受付け処理の流れを示す図である。
【図５】（ａ）〜（ｃ）は、本発明の実施例における個人情報データベース（ＤＢ）の各処理段階における登録状況を示す図である。
【図６】本発明の実施例における照合不一致アドレスリストを示す図である。
【符号の説明】
ｌ　　　　携帯電話
１’　　　表示部
２　　　　携帯電話サービス会社
３　　　　パソコン
４　　　　インターネット接続サービス会社（ＩＳＰ）
５　　　　インターネット網
６　　　　メールサーバ
７　　　　ＷＥＢサーバ
８　　　　通信装置
７１　　　中央演算処理装置（ＣＰＵ）
７３　　　通信インターフェイス
７４　　　ＲＡＭ
７５　　　記憶装置
７６　　　リアルタイムクロック（ＲＴＣ）
７７　　　デ−タバス
【図１】
2004078270.tif 000003
【図２】
2004078270.tif 000004
【図３】
2004078270.tif 000005
【図４】
2004078270.tif 000006
【図５】
2004078270.tif 000007
【図６】
2004078270.tif 000008